(57)【要約】【課題】プライバシーを保護しつつ、電話番号から位置検索を行う、使い勝手の良い位置検索装置を提供すること。【解決手段】携帯電話３の着信履歴情報に含まれる電話番号は、携帯電話接続装置２を介して読み込まれ、ハードディスク４の着信番号データベースに記憶される。利用者が電話番号による位置検索を行う際には、ＥＣＵ６は携帯電話３から入力された電話番号と一致する電話番号が着信番号データベースに記憶されているか否かを調べる。入力された電話番号と一致する電話番号が着信番号データベースに記憶されている場合には、ハードディスク４の個人データベースまたは非個人データベースから位置データを読み出して、入力された電話番号に対応する場所を含む地図画像をディスプレイ７に表示する。【選択図】      図１
2004184329.tif 000002
【特許請求の範囲】
【請求項１】
電話番号と各電話番号に対応する位置情報とをデータベースとして記憶する記憶手段と、
電話番号を入力する入力手段と、
前記入力手段によって入力された電話番号に対応する位置情報を検索して、検索された位置情報を利用者に提供する位置情報提供手段とを備えた位置検索装置であって、
通話装置の着信履歴情報に含まれる電話番号を当該通話装置から取得して、記憶する番号記憶手段と、
前記入力手段によって入力された電話番号が、前記番号記憶手段に記憶された電話番号と一致した場合に、前記位置情報提供手段による位置情報の提供を許可する許可手段とを備えることを特徴とする位置検索装置。
【請求項２】
前記入力手段は、前記通話装置から電話番号を入力することを特徴とする請求項１記載の位置検索装置。
【請求項３】
前記記憶手段が記憶するデータベースは、個人宅の電話番号および位置情報を記憶する個人データベースと、非個人宅の電話番号および位置情報を記憶する非個人データベースとから構成されるものであり、
前記位置情報提供手段によって、前記入力手段から入力された電話番号が前記非個人データベースから検索された場合、前記許可手段は、当該電話番号が前記番号記憶手段に記憶された電話番号と一致するか否かに関わらず、前記位置情報提供手段による位置情報の提供を許可することを特徴とする請求項１記載の位置検索装置。
【請求項４】
氏名を入力する氏名手段を設け、
前記個人データベースは、個人宅の電話番号および位置情報に加え、個人宅の氏名を記憶するものであり、
前記入力手段によって入力された電話番号が、前記番号記憶手段に記憶された電話番号と不一致であり、かつ、前記位置情報提供手段によって当該電話番号が前記個人データベースから検索された場合には、前記許可手段は、利用者に対して当該電話番号における個人宅の氏名を前記氏名手段から入力するよう要求し、前記氏名手段から入力された氏名が、前記個人データベースに記憶されている、当該電話番号における個人宅の氏名と一致する場合に、前記位置情報提供手段による位置情報の提供を許可することを特徴とする請求項３記載の位置検索装置。
【請求項５】
前記位置検索装置は、カーナビゲーション装置に組み込まれて動作することを特徴とする請求項１から請求項４のいずれかに記載の位置検索装置。
【発明の詳細な説明】
【０００１】
【発明の属する技術分野】
本発明は、入力された電話番号から、当該電話番号に対応する位置情報の検索を行う位置検索装置に関する。
【０００２】
【従来の技術】
従来、カーナビゲーション装置における目的地設定方法として、例えば特許文献１に示されている方法がある。
【０００３】
この方法では、利用者の所有する携帯電話を利用して目的地の設定を行う。すなわち、利用者は所有する携帯電話をカーナビゲーション装置に接続し、設定すべき目的地の電話番号を当該携帯電話から入力する。カーナビゲーション装置は、電話番号を位置情報として含む地図データを記憶しており、利用者が携帯電話から入力した電話番号に対応する地図上の位置を地図データから検索し、目的地として設定する。
【０００４】
【特許文献１】
特開２０００−２０５８８６号公報
【０００５】
【発明が解決しようとする課題】
しかしながら、カーナビゲーション装置において電話番号による位置検索を行う際には、プライバシー保護のため、入力された電話番号が個人宅の電話番号であると、その個人宅の氏名の入力が要求される。そのため、利用者が個人宅の電話番号から当該個人宅の位置を検索する際には、その個人宅の氏名までをも入力する必要があり、電話番号から位置検索ができる便利さが失われ、使い勝手の悪いものとなる。
【０００６】
本発明は、前記の問題点を鑑み、プライバシーの保護を図りつつ、電話番号から位置検索を行う、使い勝手の良い位置検索装置の提供を目的とする。
【０００７】
【課題を解決するための手段】
上記目的を達成するために、請求項１に記載の位置検索装置では、電話番号と各電話番号に対応する位置情報とをデータベースとして記憶する記憶手段と、電話番号を入力する入力手段と、入力手段によって入力された電話番号に対応する位置情報を検索して、検索された位置情報を利用者に提供する位置情報提供手段とを備えた位置検索装置であって、通話装置の着信履歴情報に含まれる電話番号を当該通話装置から取得して、記憶する番号記憶手段と、入力手段によって入力された電話番号が、番号記憶手段に記憶された電話番号と一致した場合に、位置情報提供手段による位置情報の提供を許可する許可手段とを備えることを特徴とする。
【０００８】
電話番号から位置情報を検索する場合は、プライバシー保護のため、検索すべき位置情報に対応する電話番号が入力された後に、当該電話番号を利用している人物の氏名を入力する必要がある。しかしながら、電話番号から位置情報を検索する際に、電話番号に加えて当該電話番号を利用している人物の氏名までをも入力することとなると、電話番号から位置情報が検索できる便利さが失われ、使い勝手が悪くなる。
【０００９】
そこで、請求項１の位置検索装置では、利用者の所有する通話装置の着信履歴情報に含まれる電話番号を入力して、番号記憶手段に記憶しておく。利用者が電話番号による位置検索を行う際には、許可手段は、入力手段から入力された電話番号と番号記憶手段に記憶された電話番号とが一致した場合に、位置情報提供手段による位置情報の提供を許可する。利用者の所有する通話装置の着信履歴情報には、当該通話装置に対して通話要求を行った人物の所有する通話装置の電話番号が含まれており、利用者は当該人物の氏名を知っている可能性が極めて高い。そこで、利用者の所有する通話装置の着信履歴情報に含まれる電話番号を番号記憶手段に記憶しておき、検索すべき位置情報に対応する電話番号が番号記憶手段に記憶されている場合は、利用者に対して当該人物の氏名の入力を要求せずに、当該電話番号に対応する位置情報の提供を許可することで、プライバシーの保護を図りつつ、かつ、使い勝手の良さを妨げないような、電話番号による位置情報の検索が可能となるのである。
【００１０】
請求項２に記載のように、入力手段は、通話装置から電話番号を入力することが望ましい。これにより、利用者は自らが所有する通話装置から検索すべき位置情報に対応する電話番号を入力することができ、より使い勝手がよくなる。
【００１１】
請求項３に記載のように、記憶手段が記憶するデータベースは、個人宅の電話番号および位置情報を記憶する個人データベースと、非個人宅の電話番号および位置情報を記憶する非個人データベースとから構成されるものであり、位置情報提供手段によって、入力手段から入力された電話番号が非個人データベースから検索された場合、許可手段は、当該電話番号が番号記憶手段に記憶された電話番号と一致するか否かに関わらず、位置情報提供手段による位置情報の提供を許可することが望ましい。
【００１２】
入力手段から入力された電話番号が企業や団体の電話番号である場合、当該電話番号に対応する位置情報については、プライバシーの保護を図る必要性が低いにとどまらず、むしろ積極的に公開することが好ましい。
【００１３】
そこで、請求項３に記載の位置検索装置では、データベース手段が記憶するデータベースを、個人宅の電話番号および位置情報を記憶する個人データベースと、非個人宅の電話番号および位置情報を記憶する非個人データベースとから構成し、位置情報提供手段によって、入力手段から入力された電話番号が非個人データベースから検索された場合には、許可手段は、当該電話番号が番号記憶手段に記憶されている電話番号と一致するか否かに関わらず、位置情報提供手段による位置情報の提供を許可する。これにより、入力手段から入力された電話番号が非個人データベースから検索された場合、すなわち、入力された電話番号が企業や団体のものであった場合、当該企業や団体の位置情報を積極的に公開することが可能となる。
【００１４】
請求項４に記載のように、氏名を入力する氏名手段を設け、個人データベースは、個人宅の電話番号および位置情報に加え、個人宅の氏名を記憶するものであり、入力手段によって入力された電話番号が、番号記憶手段に記憶された電話番号と不一致であり、かつ、位置情報提供手段によって当該電話番号が個人データベースから検索された場合には、許可手段は、利用者に対して当該電話番号における個人宅の氏名を氏名手段から入力するよう要求し、氏名手段から入力された氏名が、個人データベースに記憶されている、当該電話番号における個人宅の氏名と一致する場合に、位置情報提供手段による位置情報の提供を許可することが望ましい。入力手段から入力された電話番号が番号記憶手段に記憶されている電話番号と一致しない場合は、利用者に対して当該電話番号における個人宅の氏名を氏名手段から入力するよう要求し、利用者が氏名手段から入力した氏名と、個人データベースに記憶されている当該電話番号における個人宅の氏名とが一致する場合に、許可手段が位置情報提供手段による位置情報の提供を許可することで、個人のプライバシーを十分に保護することができる。
【００１５】
本位置検索装置は、カーナビゲーション装置に対して好適に用いることができる。カーナビゲーション装置において電話番号による位置検索を行う際には、プライバシー保護のため、入力された電話番号が個人宅の電話番号であると、その個人宅の氏名の入力が要求される。すなわち、利用者が個人宅の電話番号から当該個人宅の位置を検索する際には、当該個人宅における氏名までをも入力する必要があり、電話番号から位置検索ができる便利さが失われ、使い勝手の悪いものとなっていた。本位置検索装置をカーナビゲーション装置に組み込んで動作させることで、入力した電話番号と一致する電話番号が番号記憶手段に記憶されている場合には、利用者は氏名の入力を行うことなく、当該電話番号に対応する位置情報の提供を受けることができる。こうして、プライバシーの保護を図りつつ、かつ、使い勝手の良さを妨げないような、電話番号による位置情報の検索が可能となるのである。
【００１６】
【発明の実施の形態】
図１は、本発明の一実施形態における位置検索装置の全体構成を示すブロック図である。本実施形態の位置検索装置は、カーナビゲーション装置１に組み込まれて動作する。
【００１７】
入力手段である携帯電話接続装置２は、例えばモデムアダプタであり、通話装置である携帯電話３の着信履歴情報に含まれる電話番号をデータ通信によって取得する。また、利用者が携帯電話３から入力した電話番号をデータ通信によって読み込むことも行う。携帯電話３の着信履歴情報に含まれる電話番号の取得や、利用者が携帯電話３から入力した電話番号の読み込みに関しては、例えば光データ通信や赤外線データ通信等によって行うこととしても良い。
【００１８】
記憶手段・番号記憶手段であるハードディスク４は、カーナビゲーション装置１が各種ナビゲーション動作を実行するために必要な各種データを記憶している。特に本実施形態では、ハードディスク４は、個人データベース、非個人データベース、着信番号データベースの３つのデータベースを記憶している。
【００１９】
個人データベースは、個人宅の電話番号と、各個人宅の地図上の位置を示す位置データ（位置情報）、および各個人宅の名字（氏名）とを関連づけて記憶しているデータベースである。非個人データベースは、個人宅以外の各種企業や団体の電話番号と、各種企業や団体の地図上の位置を示す位置データ（位置情報）とを関連づけて記憶しているデータベースである。着信番号データベースは、携帯電話接続装置２が取得した電話番号を記憶しているデータベースである。各種ナビゲーション動作を実行するために必要な各種データ、および、個人データベース、非個人データベース、着信番号データベースに関しては、例えばＤＶＤ−ＲＡＭ等に記憶することとしても良い。
【００２０】
氏名手段であるリモコン５は、例えば文字キーと機能キーとから構成される多機能リモコンであり、カーナビゲーション装置１に対して各種ナビゲーション動作の実行を指示する。特に本実施形態では、利用者はリモコン５から、電話番号による位置検索の実行の指示や、個人宅の名字の入力を行う。各種ナビゲーション動作の実行の指示や、電話番号による位置検索の実行の指示、および個人宅の名字の入力に関しては、例えばタッチディスプレイに表示されたキーにタッチする等により行うこととしても良い。
【００２１】
位置情報提供手段・許可手段であるＥＣＵ６は、ナビゲーション用ＥＣＵであり、各種ナビゲーション動作を実行する。特に本実施形態では、ＥＣＵ６は、携帯電話３から入力された電話番号に対応する位置データの利用に関して、認証処理を行う。また、ＥＣＵ６は、携帯電話３から入力された電話番号および当該電話番号に対応する位置データをハードディスク４の個人データベースもしくは非個人データベースから検索したり、検索された位置データを利用して入力された電話番号に対応する場所を含む地図画像データを作成し、ディスプレイ７へ出力することも行う。これらの処理に関しては、カーナビゲーション装置１の内部に専用のハードウェアを設け、これによって処理することとしても良い。
【００２２】
ディスプレイ７は、例えば車載用液晶ディスプレイであり、各種ナビゲーション表示を行う。特に本実施形態では、ディスプレイ７は、ＥＣＵ６が作成した地図画像データを受け取り、地図画像の表示を行う。また、検索すべき場所の電話番号を携帯電話３から入力するよう要求する画面や、入力された電話番号における個人宅の名字をリモコン５から入力するよう要求する画面を表示する。さらには、入力された電話番号が使用されていないことを通知する画面や、プライバシー保護のため、入力された電話番号に対応する地図上の位置を示す地図画像が表示できないことを通知する画面の表示も行う。各種ナビゲーション表示、および各種画面表示に関しては、例えば車載用ヘッドアップディスプレイ等を用いることとしても良い。
【００２３】
次に、携帯電話３の着信履歴情報に含まれる電話番号をハードディスク４の着信番号データベースへ記憶する処理を順に説明する。
【００２４】
まず、利用者は携帯電話３を携帯電話接続装置２へ接続し、リモコン５の図示しない番号読込キーを押す。すると、携帯電話接続装置２は携帯電話３の着信履歴情報に含まれる電話番号をデータ通信によって読み込む。読み込まれた電話番号は、ＥＣＵ６を介して、ハードディスク４の着信番号データベースへ記憶される。
【００２５】
図２は、本実施形態の位置検索装置が、電話番号から位置検索を行う処理のフローチャートである。本フローチャートの処理は、利用者がリモコン５の図示しない電話番号検索キーを押すたびに実行される。
【００２６】
ステップ２０１では、ＥＣＵ６は検索すべき場所の電話番号を入力するよう要求する画面をディスプレイ７に表示し、携帯電話接続装置２に接続された携帯電話３から、検索すべき場所の電話番号が入力されるまでウェイトする。携帯電話３を用いることで、利用者は検索すべき場所の電話番号を容易に入力することが可能であり、使い勝手がよくなるのである。ステップ２０２では、ステップ２０１で入力された電話番号を個人データベースおよび非個人データベースから検索する。
【００２７】
ステップ２０３では、ステップ２０２において、ステップ２０１で入力された電話番号が個人データベースまたは非個人データベースから検索されたか否かを判定する。検索されなかった場合は、ステップ２０４へ進み、入力された電話番号が使用されていないことを通知する画面をディスプレイ７に表示して、処理を終了する。検索された場合は、ステップ２０５へ進み、当該電話番号に対応する位置データの利用に関して、認証処理を行う。認証処理の詳細な動作については後述する。
【００２８】
ステップ２０６では、ステップ２０５で実行した認証処理の認証結果を参照する。認証結果がＯＫであれば、ステップ２０７へ進み、ステップ２０２で検索された電話番号に対応する位置データを個人データベースまたは非個人データベースから読み出して、入力された電話番号に対応する場所を含む地図画像データを作成し、ディスプレイ７へ出力する。認証結果がＮＧであれば、ステップ２０８へ進み、プライバシー保護のため、入力された電話番号に対応する地図上の位置を示す地図画像が表示できないことを通知する画面をディスプレイ７に表示して、処理を終了する。
【００２９】
図３は、本実施形態の位置検索装置が行う、位置データの利用に関する認証処理のフローチャートである。本フローチャートの処理は、図２のフローチャートにおける、認証処理を実行するステップに対応する。
【００３０】
ステップ３０１では、ＥＣＵ６は着信番号データベースを検索し、利用者が携帯電話３から入力した電話番号と一致する電話番号が、着信番号データベースに記憶されているか否かを判定する。着信番号データベースに記憶されている場合は、ステップ３０６へ進み、認証結果をＯＫとして処理を終了する。着信番号データベースに記憶されていない場合は、ステップ３０２へ進む。
【００３１】
ステップ３０２では、利用者が携帯電話３から入力した電話番号が、個人データベースから検索されたか否かを判定する。個人データベースから検索された場合は、ステップ３０３へ進む。そうでない場合は、非個人データベースから検索されたものとして、ステップ３０６へ進み、認証結果をＯＫとして処理を終了する。入力された電話番号が非個人データベースから検索された場合、当該電話番号は企業や団体の電話番号であることとなる。そのような場合には、認証結果をＯＫとして位置データの利用を許可することにより、当該電話番号の企業や団体の位置データを積極的に公開することが可能となるのである。
【００３２】
ステップ３０３では、利用者が携帯電話３から入力した電話番号における個人宅の名字を、個人データベースから取り出す。ステップ３０４では、利用者に対して、携帯電話３から入力した電話番号における個人宅の名字をリモコン５から入力するよう要求する画面をディスプレイ７に表示し、利用者がリモコン５から個人宅の名字を入力するまでウェイトする。
【００３３】
ステップ３０５では、ステップ３０３で個人データベースから取り出した個人宅の名字と、ステップ３０４で利用者がリモコン５から入力した個人宅の名字とが一致するか否かを判定する。これらが一致した場合は、ステップ３０６へ進み、認証結果をＯＫとして処理を終了する。一致しなかった場合は、ステップ３０７へ進み、認証結果をＮＧとして処理を終了する。これにより、入力された電話番号が着信番号データベースに記憶されていない場合でも、個人データベースから取り出した個人宅の名字と、利用者がリモコン５から入力した個人宅の名字とが一致する場合には、位置データの利用が許可されるため、個人のプライバシーを十分に保護することが可能となるのである。すなわち、図３に示すフローチャートの処理が、許可手段として機能する。
【００３４】
なお、図２のフローチャートおよび図３のフローチャートでは、入力された電話番号の検索結果に基づいて各種判定を行ったが、入力された電話番号に対応する位置データの検索結果に基づいて各種判定を行っても良い。もちろん、両方を兼用してもよい。
【００３５】
このように、本実施形態の位置検索装置では、利用者の所有する携帯電話３の着信履歴情報に含まれる電話番号を携帯電話接続装置２から入力し、ハードディスク４の着信番号データベースへ記憶しておく。電話番号による位置検索を行う際には、ＥＣＵ６は着信番号データベースを検索し、利用者が携帯電話３から入力した電話番号と一致する電話番号が着信番号データベースに記憶されている場合に、個人データベースもしくは非個人データベースから当該電話番号に対応する位置データを読み出して地図画像を作成し、ディスプレイ７に表示する。利用者の所有する携帯電話の着信履歴情報には、当該携帯電話に対して通話要求を行った人物の所有する通話装置の電話番号が含まれており、利用者は当該人物の氏名を知っている可能性が極めて高い。そこで、利用者の所有する携帯電話の着信履歴情報に含まれる電話番号を着信番号データベースに記憶しておき、検索すべき位置データに対応する電話番号が着信番号データベースに記憶されている場合は、利用者に対して氏名の入力を要求せずに、当該電話番号に対応する位置データの利用を許可することで、プライバシーの保護を図りつつ、かつ、使い勝手の良さを妨げないような、電話番号による位置検索が可能となるのである。
【００３６】
最後に、本位置検索装置は、各種ナビゲーション装置における位置検索に用いるにとどまらず、目的地設定や通過地点設定においても好適に用いることができる。なお、本位置検索装置が最も好適なのは、カーナビゲーション装置であることを再度言及しておく。
【図面の簡単な説明】
【図１】本発明の一実施形態における位置検索装置の全体構成を示すブロック図である。
【図２】本実施形態の位置検索装置が、電話番号から位置検索を行う処理のフローチャートである。
【図３】本実施形態の位置検索装置が行う、位置データの利用に関する認証処理のフローチャートである。
【符号の説明】
１…カーナビゲーション装置、２…携帯電話接続装置、３…携帯電話、４…ハードディスク、５…リモコン、６…ＥＣＵ、７…ディスプレイ
【図１】
2004184329.tif 000003
【図２】
2004184329.tif 000004
【図３】
2004184329.tif 000005